(57)【要約】【課題】  いつでも、どこでも、個人の生体情報を取得可能とすることにより、好適な健康管理サービスを提供する。【解決手段】  通信機能を備えた携帯可能な健康管理端末１００と、健康管理センター内に設置された管理装置２００とが通信ネットワークＮを介して接続されており、健康管理端末１００は、生体情報をセンシングできるセンサ部または健康状態を入力することができる入力装置を備えるとともに、これらセンサ部または入力装置から取得した情報に基づいて健康状態を判別し、これらの情報を記憶装置に記憶するとともに、通信モジュールを通じて管理装置２００に送信する。管理装置２００は、送信されてきた情報を記憶装置２１０に保存するとともに、保存した情報に基づいて個人の健康状態の推移を管理する。【選択図】  図１
2006026208.tif 000002
【特許請求の範囲】
【請求項１】
通信機能を備えた携帯可能な健康管理端末と、健康管理センタ内の管理装置とが通信ネットワークを介して接続可能な健康管理システムにおいて、
前記健康管理端末は、生体情報をセンシングできるセンサ手段または健康状態を入力することができる入力手段の少なくとも一方の手段を備えるとともに、これら手段から取得した情報に基づいて健康状態を判別する判別手段と、前記情報を記憶する記憶手段と、前記情報や前記判別結果の情報を前記通信ネットワークを通じて送信する送信手段とを備えており、
前記管理装置は、送信されてきた情報を記憶装置に保存する保存手段と、記憶装置に保存されている情報に基づいて個人の健康状態の推移を管理する管理手段とを備えたことを特徴とする健康管理システム。
【請求項２】
前記健康管理端末が携帯電話機であり、前記センサ手段は携帯電話機の使用状態において自然に指が来る位置の近傍に配置されていることを特徴とする請求項１に記載の健康管理システム。
【請求項３】
前記センサ手段によりセンシングされる情報が脈波及び生体インピーダンスであることを特徴とする請求項１または請求項２に記載の健康管理システム。
【請求項４】
健康管理端末を所持するユーザに必要なサービスを提供できる施設の端末が前記通信ネットワークに接続されており、前記管理装置は、健康状態の判別結果に基づいて前記施設の端末とサービスの提供に関する情報の通信を行うことを特徴とする請求項１に記載の健康管理システム。
【請求項５】
前記健康管理端末に収集される生体情報が、体温、血圧、脈拍、脈波、心拍、体重、体脂肪、内臓脂肪量、骨密度、肌水分、肌油分、血中酸素濃度、血糖値、血液成分、コレステロール値、尿酸値、脳波、便の量、便の成分の少なくとも一つ以上であることを特徴とする請求項１に記載の健康管理システム。
【請求項６】
前記管理装置は、前記健康管理端末から送信されてきたデータを前記記憶装置に保存されている過去のデータと比較演算して健康状態の推移を判定する判定手段をさらに備えたことを特徴とする請求項１に記載の健康管理システム。
【請求項７】
前記健康管理端末は、前記記憶手段に記憶されている保険者番号、診察券、ＩＤカード、薬剤履歴などの情報を含んだデータを送信することを特徴とする請求項１に記載の健康管理システム。
【発明の詳細な説明】
【技術分野】
【０００１】
本発明は、健康管理機能付き情報端末を用いた健康管理システムに係り、より詳細には、医療関係向けのサービスを提供できる健康管理システムに関する。
【背景技術】
【０００２】
従来、健康管理は医療機関等において行われる検査において行われるのが一般的である。しかし、この方法では経時的な体調変動を捕らえることができず、また体調変動前後の情報がないため、特に緊急時処置が必要な時、基礎となるデータがなく適切な治療を施すことが難しい。また、日常的な健康管理のために経過時間的なデータは必要である。
【０００３】
一方、屋内のトイレやバス等に健康管理装置を取り付け、サービス利用者がトイレやバスを利用したときに必要な情報を取得するようにした健康管理システムが数多く提案されている（例えば、特許文献１，２参照）。
【０００４】
また、宅内において、生体情報をセンシングできる携帯用の計測器をサービス利用者が携帯することにより、生体情報を任意の場所で迅速に取得することができるようにした宅内健康管理システムも提案されている（例えば、特許文献３参照）。
【特許文献１】特開平１１−３０６４６８号公報
【特許文献２】特開２０００−１３２６２１号公報
【特許文献３】特開平８−３８４３５号公報
【発明の開示】
【発明が解決しようとする課題】
【０００５】
しかしながら、上記特許文献１，２のものでは、健康管理装置が取り付けられているトイレやバス等をサービス利用者が利用しない限り生体情報が取得できないといった問題があった。また、上記特許文献３のものでは、宅内においては、任意の場所で任意の時間に生体情報を取得できるものの、外出先等では全く利用することができないといった問題があった。
【０００６】
本発明はかかる問題点を解決すべく創案されたもので、その目的は、いつでも、どこでも、個人の生体情報を取得可能とすることにより、好適な健康管理サービスを提供できる健康管理システムを提供することにある。
【課題を解決するための手段】
【０００７】
本発明の健康管理システムは、通信機能を備えた携帯可能な健康管理端末と、健康管理センタ内の管理装置とが通信ネットワークを介して接続可能な健康管理システムにおいて、前記健康管理端末は、生体情報をセンシングできるセンサ手段または健康状態を入力することができる入力手段の少なくとも一方の手段を備えるとともに、これら手段から取得した情報に基づいて健康状態を判別する判別手段と、前記情報を記憶する記憶手段と、前記情報や前記判別結果の情報を前記通信ネットワークを通じて送信する送信手段とを備えており、前記管理装置は、送信されてきた情報を記憶装置に保存する保存手段と、記憶装置に保存されている情報に基づいて個人の健康状態の推移を管理する管理手段とを備えたことを特徴とする。
【０００８】
このように、通信機能を備えた健康管理端末を外出時にも常に携帯しておくことで、ユーザであるサービス利用者は、いつでも、どこにいても自己の生体情報をセンシングすることができ、かつ、その情報を管理装置に送信することができる。これにより、管理装置では、経時的な体調の変化を捉えることが可能となり、その体調変化に基づいて異常の有無や緊急度の有無なども判断することが可能となり、サービス利用者（ユーザ）に適切なサービスを提供することが可能となる。
【０００９】
ここで、前記健康管理端末としては携帯電話機が好適であり、前記センサ手段は携帯電話機の使用状態において自然に指が来る位置の近傍に配置することが好ましい。これにより、サービス利用者が携帯電話機を使用して電話をかけたり、着信に応答する等したときに、自然に生体情報をセンシングすることが可能となる。
【００１０】
この場合、前記センサ手段によりセンシングされる情報としては、脈波及び生体インピーダンスが考えられる。すなわち、センサ手段は、脈波検知用としての受発光装置、及びインピーダンス検知用としての電流印加用電極及び電圧検知用電極を備えた構成となっている。このようなセンサ手段を用いて脈波及び生体インピーダンスをセンシングすることで、内部処理により、例えば血圧、脈拍、脈波、心拍、体脂肪、骨密度、血中酸素濃度、血糖値、等の生体情報を得ることができる。また、センサ手段の他に入力手段を備えている場合には、その入力手段を用いて各種情報を入力することにより、上記生体情報を始め、体温、体重、内臓脂肪量、肌水分、肌油分、血液成分、コレステロール値、尿酸値、脳波、便の量、便の成分、等の生体情報も取得することができる。
【００１１】
また、本発明の健康管理システムによれば、健康管理端末を所持するユーザ（サービス利用者）に必要なサービスを提供できる施設の端末が前記通信ネットワークに接続されており、前記管理装置は、健康状態の判別結果に基づいて前記施設の端末とサービスの提供に関する情報の通信を行うことを特徴としている。この場合、前記健康管理端末は、前記記憶手段に記憶されている保険者番号、診察券、ＩＤカード、薬剤履歴などの情報を含んだデータを送信するように構成してもよい。
【００１２】
このように、管理装置と医療機関や福祉機関等の施設の端末とを接続することで、管理装置では、例えばサービス利用者の健康管理端末から送信されてきた情報が緊急度を示している場合には、送信されてきた保険者番号や診察券等の情報から、所定の医療機関の端末に診察予約を入れる等、サービス利用者に適切なサービスを提供することが可能となる。すなわち、緊急時には救命のための措置を、平常時には健康支援を提供するシステムとして、サービス利用者の健康管理に役立つシステムを構築することができる。
【００１３】
ここで、前記管理装置は、前記健康管理端末から送信されてきたデータを前記記憶装置に保存されている過去のデータと比較演算して健康状態の推移を判定する判定手段をさらに備えたことを特徴とする。このような判定手段を備えたことで、サービス利用者の健康状態を的確に判断することが可能となる。
【発明の効果】
【００１４】
本発明の健康管理システムによれば、いつでも、どこでも、意識せずに自己の生体情報を取得することが可能となり、サービス利用者に対して好適な健康管理サービスを提供することができる。
【発明を実施するための最良の形態】
【００１５】
以下、本発明の実施の形態について、図面を参照して説明する。
【００１６】
図１は、本発明の健康管理システムの一実施形態の全体構成を示すブロック図である。
【００１７】
本実施形態の健康管理システムは、通信機能を備えた携帯可能な健康管理端末１００と、健康管理センタ内の管理装置２００と、健康管理端末１００を所持するサービス利用者に必要なサービスを提供できる施設の端末３００とが通信ネットワーク（携帯電話網、インターネット、専用回線等）Ｎを介して接続可能な構成となっている。
【００１８】
健康管理端末１００は、生体情報をセンシングできるセンサ部１を備えている。
【００１９】
図２は、生体情報をセンシングするセンサ部１の一構成例を示している。
【００２０】
本実施形態のセンサ部１は、人の脈拍や血圧等を測るための脈波センサである発光装置１１及び受光装置１２を基板１３上に搭載して中央部に配置し、この発光装置１１と受光装置１２の周りを取り囲むようにして、絶縁部１４により２分割された電極１５，１６が設けられている。この電極１５，１６は、人体のインピーダンスを測定するための電流印加用電極及び電圧検知用電極であり、心電を測定するための電極部も兼ねた構成となっている。
【００２１】
図３は、上記構成のセンサ部１を有する生体情報検出装置のシステム構成を示すブロック図である。
【００２２】
まず、血圧を測定するためには複数箇所の脈波をセンシングする必要があるので、この例では、図２に示すセンサ部１を２つ用いている。そして、各受光装置１２の出力はアンプ６及びフィルタ回路７を通過した後、後述する演算部３３に入力される。また、この例では、測定系として、各電流印加用電極１５，１５に電流を印加する電流源３１、２つの電圧検知用電極１６，１６との間の電圧を測定する電圧計３２、制御演算部（ＣＰＵ）３３、入力装置３４、記憶装置（ＲＡＭ／ＲＯＭ）３５、表示装置３６、及び、通信モジュール３７などを備えている。
【００２３】
本実施形態では、上記構成の生体情報検出装置を、サービス利用者が日々携帯するものである携帯電話機（健康管理端末）に搭載している。従って、通信モジュール３７は、電話機能の他、メール機能も備えている。ただし、搭載対象としては、この他にも例えば、時計や腕輪を兼用したリング型センサ、ネックレス等を挙げることができる。
【００２４】
次に、上記構成の生体情報検出装置による測定処理について簡単に説明する。
【００２５】
まず、この例では、別の血圧計にて測定された最高血圧と最低血圧値、及び、年齢、身長、体重、性別等の情報を入力装置３４から入力して記憶装置３５に記憶しておく。次に、図３に示すように、２つのセンサ部１，１をそれぞれ人体の例えば左右の指に接触させた状態で、各センサ部１，１を駆動するとともに、電流源３１から各電流印加用電極１５，１５に電流を印加して測定を実行する。この測定実行により、２つの受光装置１２，１２からの脈波信号、電圧計３２にて測定された電圧信号、及び、電流源３１の印加電流値が制御演算部３３に入力される。
【００２６】
制御演算部３３では、入力された２つの脈波信号から脈拍と脈波伝播時間（脈波伝播速度の違いによる時間差）とを求めるとともに、電圧計３２及び電流源３１からの信号に基づいて人体のインピーダンス値を求める。そして、脈波伝播時間から血圧値（最高血圧値、最低血圧値）を求める。または、心電と脈波の遅延時間より血圧値（最高血圧値、最低血圧値）を求める。心電と脈波より血圧値を求める技術は、例えば特許登録第３０２８６０１号公報に記載されている。また、制御演算部３３では、求めたインピーダンス値と、既入力済みの年齢、身長、体重、性別等の情報とに基づいて、体脂肪または骨密度を求める。なお、２つの発光装置１１，１１より複数の適当な波長の光（複数の近赤外光）を照射して、血液内の酸化ヘモグロビンの吸光度を測定することにより、近赤外光の受光が可能な受光装置１２，１２からの脈波信号に基づいて、血中酸素濃度や血糖値も同時に測定することができる。制御演算部３３では、これらの演算結果を表示装置３６に表示するとともに、記憶装置３５に記憶される。また、心電、血圧（最高血圧、最低血圧）、脈拍、脈波、体温、体脂肪、骨密度、血中酸素濃度及び血糖値等の演算結果は、通信モジュール３７を用いて管理装置２００に送信される。
【００２７】
図４は、２つのセンサ部１，１を２つ折りタイプの携帯電話機１００Ａに配置する場合の配置構成例を示している。この例では、携帯電話機１００Ａを閉じた状態で生体情報のセンシングを行えるようにしている。そのため、２つのセンサ部１，１は、表示本体側の外面に設けられた表示装置１０１を介して長手方向の両側部分に配置されている。これにより、図４に示すように、折り畳んだ状態の携帯電話機１００Ａを横方向にして左右両側から両手で保持するようにすれば、左右の親指の先端部分が自然にそれぞれのセンサ部１，１に接触するようになっている。
【００２８】
図５及び図６は、２つのセンサ部１，１を２つ折りタイプの携帯電話機１００Ｂに配置する場合の他の配置構成例を示している。この例では、携帯電話機１００Ｂを開いた状態で生体情報のセンシングを行えるようにしている。そのため、２つのセンサ部１，１は、数字キーが配置された本体側１０２に配置している。図５は、本体側１０２の数字キーが配置された操作面側の左右両側上部に配置されており、図６は、本体側１０２の前記操作面とは反対側の面の左右両側上部に配置されている。これにより、図５では、サービス利用者が電話をかけたり、着信に応答する等したときに、親指と人指し指が自然にそれぞれのセンサ部１，１に接触できるようになっている。また、図６では、図４と同様にして、開いた状態の（または閉じた状態の）携帯電話機１００Ｂを縦方向にして左右両側から両手で保持するようにすれば、左右の親指の先端部分が自然にそれぞれのセンサ部１，１に接触するようになっている。
【００２９】
なお、図４ないし図６に示したセンサ部１の配置構成はあくまで一例であり、この他にも種々の配置構成とすることが可能であることは当然である。
【００３０】
一方、管理装置２００は、図示は省略しているが、健康管理端末１００から送信されてきたデータを記憶装置２１０に保存する保存機能と、記憶装置２１０に保存されているデータに基づいて個人の健康状態の推移を管理する管理機能と、健康管理端末１００から送信されてきたデータを記憶装置に保存されている過去のデータと比較演算して健康状態の推移を判定する判定機能とを備えている。健康管理端末１００から送信されてくるデータには、生体情報に関連するデータの他、サービス利用者の個人データも含まれる。個人データとしては、保険者番号、診察券、ＩＤカード、薬剤履歴などのデータであり、記憶装置２１０には、このような個人データが装置内の図示しない個人情報データベースに格納されている。
【００３１】
次に、上記構成の健康管理システムにおいて、健康管理端末１００による生体情報の収集及び送信処理動作、管理装置２００による受信した情報に基づく処理動作について、図７ないし図９に示すフローチャートを参照して説明する。ただし、図７は健康管理端末１００の処理動作を示すフローチャート、図８及び図９は管理装置２００の処理動作を示すフローチャートである。
【００３２】
−健康管理端末１００である携帯電話機の処理動作の説明−
まず、図示しない内部カウンタのカウント値Ｎを０に設定し（ステップＳ１）、次にそのカウント値Ｎを＋１した後（ステップＳ２）、携帯電話機に搭載された生体情報検出装置のセンサ部１によって、一定期間の間に生体情報がセンサリングされたかどうかを、携帯電話機内の記憶装置３５に保存されているデータから判断する（ステップＳ３，ステップＳ４）。その結果、一定期間の間にセンサリングされていなければ（ステップＳ４でＮｏと判断されれば）、生体情報を測定するように注意を促す画面を表示装置３６（携帯電話機では、例えば図５に示す表示本体側の外面に設けられた表示装置１０１に相当）に表示して警告した後（ステップＳ５）、ステップＳ２に戻って、カウント値を＋１する。このような処理を、ステップＳ３でＹｅｓと判断されるまで、またはステップＳ４での一定期間の計測をカウント値Ｎが７となるまで繰り返す。そして、ステップＳ４で一定期間の計測を７回行ってもセンサ部１によって生体情報がセンサリングされなかった場合（ステップＳ４でＹｅｓと判断された場合）には、設定した期間内に生体情報が全く測定されていないことを表示装置３６（携帯電話機では、例えば図６示す表示本体側１０３の外面に設けられた表示装置１０１）に表示して警告した後、その警告を管理装置２００に送信するか否かを確認する（ステップＳ６）。そして、この確認に対しサービス利用者が応答しない場合には、その警告に対し確認されない旨を管理装置２００に送信する。この場合には、ステップＳ７の処理（図８に示すフローチャート（Ａ）の処理フロー）に移行する。
【００３３】
すなわち、管理装置２００では、警告に対し確認されない旨の情報を受け取ると、その携帯電話機に対し例えばメールにて問い合わせを行い、２４時間以内に返信するよう伝える。もしくは直接電話をかけて即座に問い合わせる（ステップＳ４１）。この問い合わせに対してサービス利用者が応答する等して、生体情報に異常が無いことが明確に確認された場合（ステップＳ４２でＹｅｓと判断された場合）には、携帯電話機側ではステップＳ１に戻って内部カウンタのカウント値Ｎを０に戻す。一方、応答もなく、生体情報に異常が無いことが確認できなかった場合（ステップＳ４２でＮｏと判断された場合）には、携帯電話機に付いている位置情報システムによってサービス利用者の居場所を確認し（ステップＳ４３）、人を急行させる等の対応や（ステップＳ４４）、予め登録された緊急連絡先に確認する等の対応を取る。この後、携帯電話機側ではステップＳ１に戻って内部カウンタのカウント値Ｎを０に戻す。
【００３４】
一方、設定した期間内にセンサ部１によって生体情報のセンシングが行われた場合（ステップＳ３でＹｅｓと判断された場合）には、生体情報検出装置の制御演算部３３は、センサ部１のセンシングによる生体情報の測定結果が、予め設定された閾値以上かどうかを判断する（ステップＳ８）。
【００３５】
その結果、閾値以上である場合（ステップＳ８でＹｅｓと判断された場合）には、それまでのカウント値を０に戻すとともに（ステップＳ９）、閾値以上のデータを健康管理センターの管理装置２００に送信するか否かをサービス利用者に確認する（ステップＳ１０）。個々の生体情報はプライベートな情報であり秘匿性が高いため、送信する意思をサービス利用者に確認する必要がある。そのため、送信の意思確認の選択を利用者に選択させている。
【００３６】
一方、閾値以下である場合（ステップＳ８でＮｏと判断された場合）には、その測定結果を表示するとともに、その測定データを健康管理センターの管理装置２００に送信するか否かをサービス利用者に確認する（ステップＳ１１）。個々の生体情報はプライベートな情報であり秘匿性が高いため、送信する意思をサービス利用者に確認する必要がある。そのため、送信の意思確認の選択を利用者に選択させている。ただし、この場合も、一定時間内に選択されない場合はステップＳ７と同様の処理を行う。
【００３７】
このような送信の意思確認に対し、サービス利用者が意思確認を表明せずに一定時間が経過した場合（ステップＳ１２でＮｏと判断された場合）には、サービス利用者の身体状態が極度に悪くなっている可能性があるため、この場合もステップＳ１３の処理（図８に示すフローチャート（Ａ）の処理フロー）に移行する。
【００３８】
すなわち、管理装置２００では、サービス利用者が意思確認を表明さずに一定時間が経過した旨の情報を受け取ると、その携帯電話機に対し例えばメールにて問い合わせを行い、２４時間以内に返信するよう伝える。もしくは直接電話をかけて即座に問い合わせる（ステップＳ４１）。この問い合わせに対してサービス利用者が応答する等して、生体情報に異常が無いことが明確に確認された場合（ステップＳ４２でＹｅｓと判断された場合）には、携帯電話機側ではステップＳ１に戻って内部カウンタのカウント値Ｎを０に戻す。一方、応答もなく、生体情報に異常が無いことが確認できなかった場合（ステップＳ４２でＮｏと判断された場合）には、携帯電話機に付いている位置情報システムによってサービス利用者の居場所を確認し（ステップＳ４３）、人を急行させる等の対応や（ステップＳ４４）、予め登録された緊急連絡先に確認する等の対応を取る。この後、携帯電話機側ではステップＳ１に戻って内部カウンタのカウント値Ｎを０に戻す。
【００３９】
一方、ステップＳ１２において、サービス利用者が意思確認を表明した場合（Ｙｅｓと判断された場合）には、次に、測定データの送信意思を確認する（ステップＳ１４）。その結果、サービス利用者に送信意思があり、送信決定を選択した場合（ステップＳ１４でＹｅｓと判断した場合）には、測定データを暗号化した上で（ステップＳ１５）、健康管理センターの管理装置２００に送信する（ステップＳ１６）。デジタルネットワークのようなシステムでは守秘性が高いのは言うまでも無いが、さらに高度に注意を払うべく暗号化されている。ただし、例えばネットワークがクローズド系のネットワークであり、守秘性の高いシステム構築されている場合は、必ずしも暗号化は必要ではない。
【００４０】
一方、送信意思が無い場合（ステップＳ１４でＮｏと判断された場合）には、発信しない旨を表示し（ステップＳ１７）、測定データ及びその日時等の情報を携帯電話機内に設けられた記憶装置３５に記憶するかどうかを選択させる（ステップＳ１８）。サービス利用者が記憶を選択した場合（ステップＳ１８でＹｅｓと判断された場合）には、その測定データ及び日時等の情報を決められたプロトコルに従い記憶装置３５に格納する（ステップＳ１９）。一方、サービス利用者が記憶しないことを選択した場合（ステップＳ１８でＮｏと判断された場合）には、データを破棄する（ステップＳ２０）。これは、例えばサービス利用者以外の生体情報が誤って収集され、後に記述するデータ照合や健康管理に間違ったデータを記憶させないためである。
【００４１】
−管理装置２００の処理動作の説明−
管理装置２００では、携帯電話機からのデータを受信すると（ステップＳ５１）、受付番号をデータに付与するとともに（ステップＳ５２）、データの暗号化を解除し、ＩＤを確認する（ステップＳ５３）。受理番号は、例えば日時等に基づいて一義的に付与されるものとする。これは受け付けたデータが緊急を要するものでかつ一定時間内に処理されていないことのないように、受付番号に基づいて抽出できるようにするためである。特に、緊急を要するデータが見過ごされることのないようにするための措置である。
【００４２】
その後、受信されたデータがサービス利用者のものかどうかを、記憶装置２１０内に格納されている個人データ（サービス利用者のＩＤ）と比較し確認する（ステップＳ５４）。その結果、サービス利用者のデータであると確認できた場合（ステップＳ５４でＹｅｓと判断された場合）には、図示しない内部カウンタのカウント値Ｍを＋１して（ステップＳ５５）、受信データのチェックを行う（ステップＳ５６）。一方、サービス利用者のデータであると確認できなかった場合（ステップＳ５４でＮｏと判断された場合）には、オペレーターに緊急通報し、情報内容を確認する（ステップＳ７０）。これはシステム上の何らかの問題で緊急を要したサービス利用者の情報であるにも関わらず、サービス利用者外のデータとして拒絶しないための措置である。
【００４３】
ステップＳ５６でのチェックの結果、受信データの内容が緊急の場合（ステップＳ５６でＹｅｓと判断された場合）には、記憶装置２１０に記憶されている個人データを照会して（ステップＳ５７）、医療機関の検索、紹介、予約、手配などを行う（ステップＳ５８）。また、蓄積されたデータのうち一定期間のデータ及び保険番号等の個人データを医療機関の端末３００に送信する（ステップＳ５８）。その際、送信するデータは暗号化されて送信される。医療機関の端末３００は、個人データを受け取ると、個人データを取得した旨の応答信号を管理装置２００に送信する（ステップＳ５９）。
【００４４】
管理装置２００は、医療機関の端末３００から応答信号を受信したか否かをチェックする（ステップＳ６０）。その結果、個人データを送信したにも係わらず応答信号を受信していない場合（ステップＳ６０でＮｏと判断された場合）には、内部カウンタのカウント値Ｍをチェックし、カウント値Ｍが２以下かどうか（すなわち、送信回数が２回以下かどうか）を確認する（ステップＳ６１）。そして、送信回数が２回以下（すなわち、１回目の送信）であった場合（ステップＳ６１でＮｏと判断された場合）には、内部カウンタのカウント値を＋１した後（ステップＳ６２）、ステップＳ５７に戻って、個人データの送信処理を再度行う。一方、送信回数が２回以上であった場合（ステップＳ６３でＹｅｓと判断された場合）には、個人データが医療機関の端末３００に送信できなかったことをオペレーターに通報する（ステップＳ６３）。
【００４５】
一方、ステップＳ６０でのチェックの結果、応答信号を受信している場合（ステップＳ６０でＹｅｓと判断された場合）には、サービス利用者に対するサービス内容のデータに基づき、必要な料金を課金し（ステップＳ６８）、必要なデータを記憶装置２１０へ転送して保存する（ステップＳ６９）。
【００４６】
一方、ステップＳ５６でのチェックの結果、受信データが緊急レベルの低いデータであった場合（ステップＳ５６でＮｏと判断された場合）には、記憶装置２１０の個人データを照会し（ステップＳ６４）、蓄積されたデータより抽出して比較、解析等の処理を加え（ステップＳ６５）、その解析結果をサービス利用者の携帯電話機に送信して表示させ、サービス利用者に各種サービスを提供する（ステップＳ６６）。サービスの内容としては、医療機関での健康診断を勧め、予約等の手配を行ったり、フィットネスクラブの予約や紹介、宅配の食事メニューの提案等を行う。そして、提案した各種サービスの中からサービス利用者が任意のサービスを選択した場合には、選択したサービス内容により、健康管理センターでは、管理装置２００を用いて医療機関での健康診断の予約の手配や、フィットネスクラブの予約の手配や紹介などを行う。この後、サービス利用者の健康状態及びサービス内容のデータに基づき、必要な料金を課金し（ステップＳ６７）、必要なデータを記憶装置２１０へ転送し保存する（ステップＳ６８）。
【図面の簡単な説明】
【００４７】
【図１】本発明の健康管理システムの全体構成を示すブロック図である。
【図２】生体情報をセンシングするセンサ部１の一構成例を示している。
【図３】本発明に係わるセンサ部を有する生体情報検出装置のシステム構成を示すブロック図である。
【図４】２つのセンサ部を２つ折りタイプの携帯電話機に配置する場合の配置構成の一例を示す説明図である。
【図５】２つのセンサ部を２つ折りタイプの携帯電話機に配置する場合の配置構成の他の例を示す説明図である。
【図６】２つのセンサ部を２つ折りタイプの携帯電話機に配置する場合の配置構成のさらに他の例を示す説明図である。
【図７】健康管理端末の処理動作を示すフローチャートである。
【図８】管理装置の処理動作を示すフローチャートである。
【図９】管理装置の処理動作を示すフローチャートである。
【符号の説明】
【００４８】
１  センサ部
１１  発光装置
１２  受光装置
１３  基板
１４  絶縁部
１５  電極（電流印加用電極）
１６  電極（電圧検知用電極）
３１  電流源
３２  電圧計
３３  制御演算部
３４  入力装置
３５  記憶装置
３６  表示装置
３７  通信モジュール
１００  健康管理端末
１００Ａ，１００Ｂ  携帯電話機
２００  管理装置
２１０  記憶装置
３００  施設の端末
【図１】
2006026208.tif 000003
【図２】
2006026208.tif 000004
【図３】
2006026208.tif 000005
【図４】
2006026208.tif 000006
【図５】
2006026208.tif 000007
【図６】
2006026208.tif 000008
【図７】
2006026208.tif 000009
【図８】
2006026208.tif 000010
【図９】
2006026208.tif 000011